(57)【要約】【課題】装着したままでも携帯性を阻害することなく、より簡単に、ユーザが支えることなく、表示部がユーザを向いた状態で携帯用の通信端末装置を水平面に置いて、音量のより大きい音声をユーザに向けて放音する。【解決手段】開口部５１−１および５１−２は、携帯電話機２１の前面側に設けられ、音を放音する。音道８１および音道８３は、携帯電話機２１の放音孔７１からの音を開口部５１−１および５１−２まで導く空洞である。ペン差し穴５３は、四角形の表示部２２の頂点の近傍に設けられている。ペン差し穴５３は、表示部２２の表示面と交差する方向に貫通するか、または背面側から前面側に窪み、一端が棒状の筆記用具３１を挿入して係止可能とされる。【選択図】図７
2016012821.tif 000002
【特許請求の範囲】
【請求項１】
四角形の表示部を前面に備える通信端末装置であって、内蔵されているスピーカからの音を放音する放音孔を側面または背面に備える携帯用の通信端末装置に装着し、前記通信端末装置の側面の縁部および前記放音孔を囲うケースにおいて、
前記通信端末装置の前面側に設けられている音を放音するための開口部と、
前記通信端末装置の前記放音孔からの音を前記開口部まで導く空洞である音道と、
四角形の前記表示部の頂点の近傍に設けられている、前記表示部の表示面と交差する方向に貫通するか、または背面側から前面側に窪み、一端が棒状の物品を挿入して係止可能な穴と
が形成されていることを特徴とするケース。
【請求項２】
請求項１に記載のケースにおいて、
前記穴の内周面がテーパー状に形成されている
ケース。
【請求項３】
請求項１に記載のケースにおいて、
前記穴の内周面が前記物品の棒状の端部の滑りを止める形状に形成されている
ケース。
【請求項４】
請求項１に記載のケースにおいて、
前記穴は、前記表示部の短手方向の側面側に設けられている
ケース。
【請求項５】
請求項１に記載のケースにおいて、
前記音道は、前記表示部の長手方向の側面側に設けられている
ケース。
【請求項６】
請求項１に記載のケースにおいて、
前記音道は、音響ホーン状に形成されている部分を含む
ケース。
【請求項７】
請求項１に記載のケースにおいて、
前記音道は、内側に開かれた空洞状に形成され、前記通信端末装置が装着された場合、前記通信端末装置の筐体によって閉じられる
ケース。
【請求項８】
請求項１に記載のケースにおいて、
前記開口部は、前記穴の近傍の頂点とは異なる、前記表示部の頂点の近傍に設けられている
ケース。
【請求項９】
請求項１に記載のケースにおいて、
前記開口部は、前記表示部を長手方向に挟む位置に２つ設けられている
ケース。
【請求項１０】
請求項１に記載のケースにおいて、
前記通信端末装置が装着された場合、前記開口部の内側の空間は、前記通信端末装置の筐体によって閉じられる
ケース。
【発明の詳細な説明】
【技術分野】
【０００１】
本発明はケースに関し、特に、携帯用の通信端末装置に装着するケースに関する。
【背景技術】
【０００２】
１枚の板状の形状とされ、１つの面に表示装置を設けた、いわゆるスマートフォンやタブレット型コンピュータなどの携帯用の通信端末装置が用いられている。このような携帯用の通信端末装置には、購入後にユーザがケースを装着することも多い。
【０００３】
従来、上側保護部材のうちの左、右側部位の内面部の溝部を、携帯用端末機器の左右の凸部に嵌めて、この携帯用端末機器の上半分に装着し、また、下側保護部材のうちの左、右側部位の内面部の溝部を、携帯用端末機器の左右の凸部に嵌めて、この携帯用端末機器の下半分に装着し、上側保護部材の左、右側部位の端面部を、下側保護部材の左、右側部位の端面部に当接させるようにした携帯用機器の保護装置がある（例えば、特許文献１参照）。
【０００４】
また、板状、かつ、手のひら大に形成されるケースと、ケースに、その表示面が外部に露呈するように収納される表示デバイスと、ケースに収納され、かつ、表示デバイスを制御する電子回路と、ケースの縁部に取り付けられ、この縁部を包囲する保護枠と、保護枠からケースの外側向きに突出し、内部に指を挿通できるように形成された指かけ部とを設けた携帯情報端末もある（例えば、特許文献２参照）。
【０００５】
さらに、アッパーケースとロアーケースとでインナーブロックを上下から挟み込むように内装して構成した本体と、該アッパーケースの上面には携帯機器の保持部を開口して設けるとともに、該本体の前面には該アッパーケースとロアーケースとで前面開口部を設け、該インナーブロックには、該保持部に携帯機器を差し込んで保持したときに、該携帯機器の底面に備えられたスピーカに相対する位置に音響用開口部を設けるとともに、該音響用開口部と連続した凹部を底面に設けることで、該凹部と該ロアーケースとの間にホーン部を形成して該携帯機器のスピーカの音を該前面開口部から拡声して発するように構成した携帯機器ホルダもある（例えば、特許文献３参照）。
【先行技術文献】
【特許文献】
【０００６】
【特許文献１】特開平９−３２１８４７号公報
【特許文献２】特開２００４−１６４６１３号公報
【特許文献３】特開２０１２−１７５６９６号公報
【発明の概要】
【発明が解決しようとする課題】
【０００７】
しかしながら、特許文献３に記載の携帯機器ホルダは、両面粘着テープなどを用いて自動車のダッシュボードに取り付けられて、取り付けられた場所で使用されるものであり、携帯には適さない。仮に、携帯機器に携帯機器ホルダを装着したまま、携帯しようとすると、かさばるだけではなく、携帯機器の操作の邪魔になるので、携帯機器とホルダとを個別に携帯する必要がある。携帯機器ホルダを使用する場合には、いちいち、携帯機器に携帯機器ホルダを装着しなければならない。また、止着手段のない所望の場所で使用する場合には、使用する間常にユーザが手で支える必要がある。
【０００８】
また、特許文献２に記載の携帯情報端末は、持ちやすくするために、内部に指を挿通できるように形成された指かけ部を設けたものである。すなわち、ユーザが、一方の手の指を指かけ部に挿通し、他方の手で操作するように構成され、常に、ユーザの手にもって使用するものである。卓上などに置いた状態で、携帯情報端末を使用することはできず、そのような使用は考慮されていない。
【０００９】
特許文献１に記載の携帯用機器の保護装置においては、携帯性は考慮されていると推察されるが、卓上などに置いた状態で、携帯用機器を使用することは考慮されていない。
【００１０】
このように、携帯性を阻害することなく、携帯用の通信端末装置を机上などに置いて、映像と音響とを楽しむことはできなかった。
【００１１】
本発明は、このような状況に鑑みてなされたものであり、装着したままでも携帯性を阻害することなく、より簡単に、ユーザが支えることなく、表示部がユーザを向いた状態で携帯用の通信端末装置を水平面に置いて、音量のより大きい音声をユーザに向けて放音することができるようにするものである。
【課題を解決するための手段】
【００１２】
本発明の一側面のケースは、四角形の表示部を前面に備える通信端末装置であって、内蔵されているスピーカからの音を放音する放音孔を側面または背面に備える携帯用の通信端末装置に装着し、通信端末装置の側面の縁部および放音孔を囲うケースであって、通信端末装置の前面側に設けられている音を放音するための開口部と、通信端末装置の放音孔からの音を開口部まで導く空洞である音道と、四角形の表示部の頂点の近傍に設けられている、表示部の表示面と交差する方向に貫通するか、または背面側から前面側に窪み、一端が棒状の物品を挿入して係止可能な穴とが形成されていることを特徴とする。
【００１３】
表示部の表示面と交差する方向に貫通するか背面側から前面側に窪む穴が、通信端末装置の四角形の表示部の頂点の近傍に設けられているので、ユーザは、通信端末装置だけの場合と同様に通信端末装置の側面を把持することができ、装着したままでも携帯性を阻害することがない。また、表示部と交差する方向に貫通するか窪む穴に筆記用具などの一端が棒状の物品を挿入して係止した状態で、携帯用の通信端末装置を机やテーブルなどの水平面に置くと、より簡単に、表示部の表示面がユーザを向いた状態を維持することができる。この際、ユーザは、通信端末装置を支える必要がない。また、このとき、通信端末装置の四角形の表示部の頂点の近傍に穴が設けられているので、筆記用具などの物品が表示部への視線を遮ることがない。音道によって、通信端末装置の放音孔からの音が開口部まで導かれ、表示部と共にユーザを向いた位置の開口部から音が放音されるので、音量のより大きい音声をユーザに伝達することができる。このように、装着したままでも携帯性を阻害することなく、より簡単に、ユーザが支えることなく、表示部がユーザを向いた状態で携帯用の通信端末装置を水平面に置いて、音量のより大きい音声をユーザに向けて放音することができる。
【００１４】
穴の内周面をテーパー状に形成することができる。穴の内周面をテーパー状にすることで、穴に挿入された筆記用具などの一端が棒状の物品と通信端末装置の角度を鈍角とし、通信端末装置の表示部と水平面とが鋭角となるように通信端末装置を水平面に置くことができる。これにより、通信端末装置を見下ろすユーザの視点と通信端末装置の表示部とを結ぶ線が、直角により近い角度で通信端末装置の表示部の表示面に交わるので、ユーザが通信端末装置の表示部をより見やすくなる。
【００１５】
穴の内周面を物品の棒状の端部の滑りを止める形状に形成することができる。このようにすることで、より安定して通信端末装置を水平面に置くことができる。
【００１６】
穴を、表示部の短手方向の側面側に設けることができる。通信端末装置の幅の狭い側の側面を片手で把持する場合、穴が邪魔にならない。また、穴に筆記用具などの物品の棒状の端部を挿入して係止した状態で、表示部の表示面が横長となるように携帯用の通信端末装置を水平面に置いた場合、表示部の表示面の横に物品の端部が位置することになるので、上側から下側に向かうユーザの視線を物品が遮ることがない。
【００１７】
音道を、表示部の長手方向の側面側に設けることができる。音道をより長くすることができるので、共鳴によってより低い周波数帯域の音声成分をより大きくすることができる。音道を下側にして、表示部が横長となるように携帯用の通信端末装置を水平面に置いた場合、音道の響きを机やテーブルなどの水平面に伝達できるようになり、音量のより大きい音声をユーザに伝達することができる。
【００１８】
音道に、音響ホーン状の部分を形成することができる。このようにすることで、より効率良く、通信端末装置の放音孔から開口部に音を導くことができる。
【００１９】
音道を、内側に開かれた空洞状に形成し、通信端末装置が装着された場合、通信端末装置の筐体によって閉じられるようにすることができる。この場合、ケースをより幅狭く、より低く、またはより薄く形成できるようになり、携帯用の通信端末装置の持ちやすさを阻害しない。
【００２０】
開口部を、穴の近傍の頂点とは異なる、表示部の頂点の近傍に設けることができる。このようにすることで、構造物が偏ってしまうことを防止でき、ケースの重心を通信端末装置の重心により近づけることができ、携帯用の通信端末装置の持ちやすさを阻害しない。
【００２１】
開口部を、表示部を長手方向に挟む位置に２つ設けることができる。表示部が横長となるように携帯用の通信端末装置を水平面に置いた場合、開口部が表示部の左右に配置されることになり、表示部に表示される映像と一体となった音声をユーザに伝達することができる。
【００２２】
通信端末装置が装着された場合、開口部の内側の空間を、通信端末装置の筐体によって閉じられるようにすることができる。この場合、ケースをより薄く形成できるようになり、携帯用の通信端末装置の持ちやすさを阻害しない。
【００２３】
本発明の一側面においては、四角形の表示部の頂点の近傍に設けられている、表示部の表示面と交差する方向に貫通するか背面側から前面側に窪む穴に、物品の棒状の端部が挿入されて係止されることで水平面に載置可能とされ、通信端末装置の放音孔から開口部まで音が導かれ、表示部が設けられている側である通信端末装置の前面側に設けられた開口部から音が放音される。
【発明の効果】
【００２４】
以上のように、本発明の一側面によれば、装着した通信端末装置を保護することができる。
【００２５】
また、本発明の一側面によれば、装着したままでも携帯性を阻害することなく、より簡単に、ユーザが支えることなく、表示部がユーザを向いた状態で携帯用の通信端末装置を水平面に置いて、音量のより大きい音声をユーザに向けて放音することができる。
【図面の簡単な説明】
【００２６】
【図１】使用されているケース１１を説明する図である。
【図２】携帯電話機２１に装着されているケース１１の正面図である。
【図３】携帯電話機２１に装着されているケース１１の左側面図である。
【図４】携帯電話機２１に装着されているケース１１の右側面図である。
【図５】携帯電話機２１に装着されているケース１１の上面図である。
【図６】携帯電話機２１に装着されているケース１１の底面図である。
【図７】携帯電話機２１に装着されているケース１１の正面透視図である。
【図８】携帯電話機２１に装着されているケース１１の底面透視図である。
【図９】後側パーツ６２の正面図である。
【図１０】前側パーツ６１の背面図である。
【図１１】シール材６３、携帯電話機２１、および後側パーツ６２の正面図である。
【発明を実施するための形態】
【００２７】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本発明の一側面のケースは、四角形の表示部（例えば、図７の表示部２２）を前面に備える通信端末装置（例えば、図７の携帯電話機２１）であって、内蔵されているスピーカからの音を放音する放音孔を側面または背面に備える携帯用の通信端末装置に装着し、通信端末装置の側面の縁部および放音孔を囲うケース（例えば、図７のケース１１）であって、通信端末装置の前面側に設けられている音を放音するための開口部（例えば、図７の開口部５１−１および５１−２）と、通信端末装置の放音孔からの音を開口部まで導く空洞である音道（例えば、図７の音道８１および音道８３）と、四角形の表示部の頂点の近傍に設けられている、表示部の表示面と交差する方向にするか、または背面側から前面側に窪み、一端が棒状の物品を挿入して係止可能な穴（例えば、図７のペン差し穴５３）とが形成されていることを特徴とする。
【００２９】
以下、図１乃至図１１を参照して、本発明の一実施の形態に係るケース１１について説明する。
【００３０】
図１は、使用されているケース１１を説明する図である。ケース１１は、携帯電話機２１に装着し、携帯電話機２１を保護する。携帯電話機２１は、ケース１１が装着された状態で携帯される。ケース１１は、アルミニウム合金、ステンレススチール、若しくはチタニウム合金などの金属、アクリル、ポリカーボネート、若しくはシリコンなどを含む樹脂など、またはこれらを組み合わせた材料からなる。ケース１１は、切削加工、プレス加工、鍛造、若しくは射出成形などにより、またはこれらの加工を組み合わせて成形される。なお、ケース１１は、一般に、カバー、ジャケット、またはバンパーなどとも称される。
【００３１】
携帯電話機２１は、通信端末装置の一例であり、携帯電話回線またはPHS（Personal Handy-phone System）回線などの無線電話回線を介して基地局と通信するか、WiMAX（Worldwide Interoperability for Microwave Access）などの短距離若しくは中長距離間の通信を行う移動体通信によりデータ通信するか、または無線LAN（Local Area Network）若しくはブルートゥースなどの近距離無線通信によりデータ通信する。
【００３２】
携帯電話機２１は、矩形上に形成され、その前面に四角形の表示部２２を備える。表示部２２は、液晶ディスプレイ（liquid crystal display（LCD））または有機EL（Electro-Luminescence）ディスプレイなどからなり、表示面に静止画像若しくは動画像または操作用のユーザインタフェースなどの映像を表示する。詳細は後述するが、携帯電話機２１は、内蔵されているスピーカからの音を放音する放音孔を底面である側面に備える。
【００３３】
ケース１１は、携帯電話機２１に装着されているとき、携帯電話機２１の側面の縁部を囲う。また、ケース１１は、携帯電話機２１に装着されているとき、携帯電話機２１の側面の全周を囲う。ケース１１には、開口部５１−１および５１−２並びに支持部５２が形成されている。開口部５１−１および５１−２は、それぞれ、携帯電話機２１の前面側に設けられ、携帯電話機２１からの音を放音する。すなわち、開口部５１−１および５１−２は、携帯電話機２１が装着された場合に表示部２２が配置される側に開口している。例えば、開口部５１−１および５１−２は、それぞれ、複数の孔からなる。より具体的には、開口部５１−１および５１−２は、携帯電話機２１が装着された場合に表示部２２を長手方向に挟む位置に設けられている。
【００３４】
支持部５２は、携帯電話機２１の側面のうち、短手方向の側面から長手方向の側面に曲がる角に設けられ、短手方向の側面に突出した略半円状に形成されている。支持部５２の内側には、ペン差し穴５３が形成されている。すなわち、ペン差し穴５３は、四角形の表示部２２の頂点の近傍に設けられている。例えば、携帯電話機２１の側面の所定の角と携帯電話機２１の側面を３分割する点のうち、携帯電話機２１の側面のその角により近い点との間にペン差し穴５３の中心が配置される位置に、ペン差し穴５３が設けられる。より詳細には、携帯電話機２１の短手方向の側面を３分割する点より携帯電話機２１の側面の角側にペン差し穴５３の中心が位置するように、ペン差し穴５３が設けられる。言い換えれば、ペン差し穴５３は、表示部２２の短手方向の側面側に設けられている。ペン差し穴５３は、表示部２２の表示面と交差する方向に貫通している。また、ペン差し穴５３は、棒状の筆記用具３１を挿入して係止可能に形成されている。なお、筆記用具３１は、鉛筆、ボールペン、万年筆などの、一端が棒状の物品の一例である。
【００３５】
表示部２２の表示面と交差する方向に貫通するペン差し穴５３が、携帯電話機２１の四角形の表示部２２の頂点の近傍に設けられているので、携帯電話機２１にケース１１が装着されていても、携帯電話機２１の幅が広がることがなく、ユーザは、携帯電話機２１だけの場合と同様に携帯電話機２１の側面を把持することができ、ケース１１を携帯電話機２１に装着したままでも携帯性を阻害することがない。
【００３６】
なお、ペン差し穴５３の穴径は、筆記用具３１を挿入しやすくするとともに、ケース１１を把持したとき、ユーザの人差指、中指、または親指が誤って入って怪我をしてしまうことを防止するため、１５ｍｍ以下とすることが好ましい。さらに好ましくは、ペン差し穴５３の穴径は、１０ｍｍ以下とすることができる。すなわち、ペン差し穴５３は、ユーザの指が挿入しにくい径および形状とされる。
【００３７】
鉛筆、ボールペン、万年筆などの棒状の筆記用具３１の一端を、携帯電話機２１が装着されているケース１１のペン差し穴５３に挿入して、係止した状態で、ケース１１の側面のいずれかおよび筆記用具３１の他端で支えるように、携帯電話機２１をテーブル３２の上面（水平面）に置くと、より簡単に、表示部２２の表示面がユーザを向いた状態を維持することができる。この際、ユーザは、通信端末装置を支える必要がない。
【００３８】
また、このとき、携帯電話機２１の四角形の表示部２２の頂点の近傍にペン差し穴５３が設けられているので、ペン差し穴５３から筆記用具３１の先端部が突出しても、表示部２２の端部側または横に筆記用具３１の先端部が位置することになるので、筆記用具３１が表示部２２への視線を遮ることがない。
【００３９】
開口部５１−１および５１−２は、ペン差し穴５３の近傍の頂点とは異なる、表示部２２の頂点の近傍に設けられている。このようにすることで、ケース１１の構造物が偏ってしまうことを防止でき、ケース１１の重心を携帯電話機２１の重心により近づけることができ、携帯電話機２１の持ちやすさを阻害しない。また、ペン差し穴５３に対して開口部５１−１および５１−２が対向する位置に配置されるので、より安定して、携帯電話機２１をテーブル３２の上面（水平面）に置くことができる。
【００４０】
なお、図１には、ペン差し穴５３が近接する長手方向の側面に対向する長手方向の側面がテーブル３２の上面（水平面）に接する姿勢で、ケース１１を装着する携帯電話機２１がテーブル３２の上面（水平面）に置かれているが、これに限らず、ペン差し穴５３が近接する長手方向の側面がテーブル３２の上面（水平面）に接する姿勢、ペン差し穴５３が近接する短手方向の側面に対向する短手方向の側面がテーブル３２の上面（水平面）に接する姿勢、またはペン差し穴５３が近接する短手方向の側面がテーブル３２の上面（水平面）に接する姿勢のいずれでも、ケース１１を装着する携帯電話機２１をテーブル３２の上面（水平面）に置くことができる。このとき、それぞれの姿勢によって、テーブル３２の上面（水平面）に対する携帯電話機２１の角度を変えることができる。ユーザは、より好みの角度で携帯電話機２１をテーブル３２の上面（水平面）に置くことができる。
【００４１】
より好ましくは、ペン差し穴５３の内周面をテーパー状に形成することができる。例えば、ケース１１の背面側における内周面の径が、ケース１１の前面側における内周面の径より大きくなるように、ペン差し穴５３の内周面をテーパー状に形成することができる。
【００４２】
また、ペン差し穴５３の内周面を筆記用具３１の棒状の端部の滑りを止める形状に形成することもできる。より具体的には、ペン差し穴５３の内周面に、同心円状に溝を形成することができる。また、例えば、ペン差し穴５３の内周面に、前面側に尖ったエッジを形成して、筆記用具３１の棒状の端部に引っ掛けて、筆記用具３１の滑りを止める形状とすることもできる。さらに、例えば、ペン差し穴５３の内周面に、凹凸を形成したり、摩擦係数の大きい樹脂製のリングを嵌め込んだりして、筆記用具３１の棒状の端部との滑りを止める形状に形成することもできる。
【００４３】
表示部２２の表示面がユーザを向いた状態で、ケース１１を装着する携帯電話機２１がテーブル３２の上面（水平面）に置かれると、携帯電話機２１の前面側に設けられている開口部５１−１および５１−２も、ユーザを向いた状態となる。ユーザを向いた開口部５１−１および５１−２から音が放音されるので、音量のより大きい音声をユーザに伝達することができる。
【００４４】
次に、図２乃至図６を参照して、ケース１１の外形について説明する。図２乃至図６は、それぞれ、携帯電話機２１に装着されているケース１１の正面図、左側面図、右側面図、上面図、底面図である。
【００４５】
なお、以下、各図に示すｘ−ｙ−ｚ直交座標系は、ｘ方向およびｙ方向が水平方向であり、このうちｘ方向は携帯電話機２１の幅方向であり、またケース１１の左右方向でもある。またｙ方向は携帯電話機２１の厚さ方向であり、またケース１１の奥行き方向でもある。更に、ｚ方向は携帯電話機２１の高さ方向であり、ケース１１の高さ方向でもある。また、以下、ｘ方向のうち、図１中の左側を単に左側と称し、ｘ方向のうち、図１中の右側を単に右側と称する。さらに、以下、ｙ方向のうち、図１中の手前側を単に前側と称し、ｙ方向のうち、図１中の奥側を単に後側（後方側）または背面側と称する。さらにまた、以下、ｚ方向のうち、図１中の上側を単に上側と称し、ｚ方向のうち、図１中の下側を単に下側または底側と称する。
【００４６】
ケース１１は、前側パーツ６１および後側パーツ６２からなる。ケース１１が携帯電話機２１に装着されると、前側パーツ６１は、携帯電話機２１の前面の縁の部分（以下、縁部と称する。）および側面の前側を覆い、後側パーツ６２は、携帯電話機２１の後面の縁の部分および側面の後側を覆い、前側パーツ６１と後側パーツ６２とは、携帯電話機２１の側面において密着させられる。これにより、ケース１１は、携帯電話機２１の側面に設けられたボタン等を押圧したり、接続用の端子にケーブルを接続したりするために必要なくり抜き部分を除き、携帯電話機２１の側面の全周を囲う。このように、ケース１１は、携帯電話機２１の前面および後面の縁部を囲う。また、ケース１１は、携帯電話機２１の側面の縁部を囲う。すなわち、ケース１１は、携帯電話機２１の前面の縁部の全周および後面の縁部の全周を囲う。また、ケース１１は、携帯電話機２１の側面の前側の縁部の全周および側面の後側の縁部の全周を囲う。
【００４７】
なお、前側パーツ６１と後側パーツ６２とは、ねじ止め、嵌め合わせなどにより前側パーツ６１と後側パーツ６２とを結合させることで携帯電話機２１を挟持するように固定することもでき、また、粘着部材などにより携帯電話機２１に前側パーツ６１および後側パーツ６２をそれぞれ粘着させることで、携帯電話機２１に固定することもできる。
【００４８】
前側パーツ６１の前面側は、携帯電話機２１の前面に設けられている表示部２２、カメラ、通話用スピーカの放音孔、操作用のボタンなどを露出させる形状にくり抜かれている。なお、表示部２２の表示面は、携帯電話機２１の前面、すなわち、ｘ−ｚ平面に配置されている。開口部５１−１は、前側パーツ６１に、図１においては縦長の表示部２２の表示面より上側であって、携帯電話機２１の前面の筐体を覆うように複数の孔として形成されている。開口部５１−２は、前側パーツ６１に、図１においては縦長の表示部２２の表示面より下側であって、携帯電話機２１の前面の筐体を覆うように複数の孔として形成されている。すなわち、開口部５１−１および開口部５１−２は、それぞれ、表示部２２の長手方向の上側と下側とに、表示部２２の表示面を挟むように配置されている。
【００４９】
支持部５２は、携帯電話機２１の上側の側面の左端部に、上側に突出した略半円状に形成されている。支持部５２の内側には、ペン差し穴５３が形成されている。ペン差し穴５３は、表示部２２の左上の頂点の近傍に設けられている。ペン差し穴５３は、ｙ方向に貫通、すなわち、前後方向に貫通する。表示部２２の表示面がｘ−ｚ平面に配置されているので、ｙ方向に貫通するペン差し穴５３は、表示部２２の表示面と交差する方向に貫通していると言える。
【００５０】
図３に示されるように、ケース１１の左側面には、携帯電話機２１の左側面に設けられたボタンを押圧するためのくり抜きが形成されている。図４に示されるように、ケース１１の右側面は、携帯電話機２１の右側面の全部を覆う。
【００５１】
図５に示されるように、ケース１１の上側面には、携帯電話機２１の上側面に設けられたボタンを押圧するためのくり抜きが形成されている。また、図６に示されるように、ケース１１の底側面には、携帯電話機２１の底側面に設けられた接続用の端子にケーブルを接続するために必要なくり抜きが形成されている。
【００５２】
次に、ケース１１の内部の構造を説明する。図７および図８は、それぞれ、携帯電話機２１に装着されているケース１１の正面透視図、底面透視図である。図９は、図３における断面ＡＡ’に対応した、後側パーツ６２の内部の構造を示す、後側パーツ６２の正面図である。図１０は、図４における断面ＢＢ’に対応した、前側パーツ６１の内部の構造を示す、前側パーツ６１の背面図である。なお、図９は、後側パーツ６２のみの構造を示す。図１０は、前側パーツ６１のみの構造を示す。図１１は、携帯電話機２１の前面と前側パーツ６１との間に配置されるシール材６３の形状を示す、シール材６３、携帯電話機２１、および後側パーツ６２の正面図である。
【００５３】
図７および図８に示されるように、携帯電話機２１の底側面の右側には、放音孔７１が設けられている。放音孔７１は、携帯電話機２１に内蔵されているスピーカからの音を放音する。図７および図８に示されるように、ケース１１は、携帯電話機２１の放音孔７１を音道８１によって囲う。すなわち、ケース１１の底側面のうち、携帯電話機２１の放音孔７１の下の部分には、空洞である音道８１が形成されている。
【００５４】
音道８１は、キャビティ８２および音道８３の一端に空洞としてつながっている。音道８１は、放音孔７１から放音される携帯電話機２１に内蔵されているスピーカからの音を封じ込めて、キャビティ８２を介して開口部５１−２まで導く。また、音道８１は、放音孔７１から放音される携帯電話機２１に内蔵されているスピーカからの音を、音道８３を介してキャビティ８４および開口部５１−１に導く。キャビティ８２は、開口部５１−２の裏側に形成されている隙間である。
【００５５】
音道８３は、開口部５１−１まで音を導く空洞であり、ケース１１の右側面に形成されている。音道８３の他端は、開口部５１−１の裏側に形成されている隙間であるキャビティ８４に空洞としてつながっている。キャビティ８４は、開口部５１−１の裏側に形成されている隙間である。
【００５６】
これにより、放音孔７１からの音が出ると、放音孔７１からの音の一部は、音道８１を通じて、キャビティ８２に伝達され、開口部５１−２の複数の孔から放音され、また、放音孔７１からの音の他の部分は、音道８１および音道８３を通じて、キャビティ８４に伝達され、開口部５１−１の複数の孔から放音される。
【００５７】
音道８３が、ケース１１の右側面に形成されているので、音道８３の長さをより長くすることができる。これにより、より低い周波数で共鳴させることができるので、より低い周波数帯域の音声成分をより大きくすることができる。ケース１１の右側面を下側にして、表示部２２が横長となるように携帯電話機２１をテーブル３２の上面（水平面）に置くと、音道８３の響きをテーブル３２に伝達できるようになり、音量のより大きい音声をユーザに伝達することができる。
【００５８】
ここで、音道８１の構成について説明する。図９に示されるように、前側パーツ６１の底側面には溝９１が形成されている。溝９１の前側および下側は、閉じられているが、溝９１の後側および上側は、開かれている。また、図１０に示されるように、後側パーツ６２の底側面には溝１０１が形成されている。溝１０１の後側および下側は、閉じられているが、溝１０１の前側および上側は、開かれている。溝９１および溝１０１は、いわゆるざぐり加工などにより形成される。
【００５９】
同様に、音道８３の構成について説明する。図９に示されるように、前側パーツ６１の右側面には溝９２が形成されている。溝９２の前側および右側は、閉じられているが、溝９２の左側および後側は、開かれている。また、図１０に示されるように、後側パーツ６２の右側面には溝１０２が形成されている。溝１０２の後側および右側は、閉じられているが、溝１０２の前側および左側は、開かれている。溝９２および溝１０２は、いわゆるざぐり加工などにより形成される。
【００６０】
ケース１１が携帯電話機２１に装着される場合、前側パーツ６１が、携帯電話機２１の前側に配置され、後側パーツ６２が、携帯電話機２１の前側に配置され、前側パーツ６１と後側パーツ６２とで、携帯電話機２１が挟まれる。このとき、溝９１と溝１０１とが合わさることで、前側、後側および下側が閉じられて、携帯電話機２１の筐体の下側面で上側が閉じられることで、音道８１が空洞として閉じられる。また、溝９２と溝１０２とが合わさることで、前側、後側および右側が閉じられて、携帯電話機２１の筐体の右側面で左側が閉じられることで、音道８３が空洞として閉じられる。
【００６１】
このように、音道８１および音道８３は、ケース１１において、内側に開かれた空洞状に形成され、携帯電話機２１が装着された場合、携帯電話機２１の筐体によって閉じられる。すなわち、音道８１および音道８３は、内側に開かれた空洞状に形成され、携帯電話機２１が装着された場合、携帯電話機２１の筐体によって閉じられる。このようにすることで、ケース１１をより幅狭く、より低く、またはより薄く形成できるようになり、携帯電話機２１の持ちやすさを阻害しない。
【００６２】
テーパー部１０３は、溝１０１から溝１０２につながる部分に設けられている。テーパー部１０３は、溝１０１側では浅い溝状に形成され、溝１０２側では深い溝状に形成されている。テーパー部１０３によって、音道８１につながる側の音道８３の一端の断面積を狭くして、その端部から離れるに従って断面積を広くすることで、音道８３の一部分が、ストレートホーンなどの音響ホーン状に形成される。この場合、より効率良く、放音孔７１から開口部５１−１に音を導くことができる。
【００６３】
図９に示されるように、前側パーツ６１の上側面の右側にはリング状部９３が形成されている。図１０に示されるように、後側パーツ６２の上側面の右側にはリング状部１０４が形成されている。ケース１１が携帯電話機２１に装着される場合、リング状部９３とリング状部１０４とが前後方向に合わさることで、支持部５２が形成される。このとき、リング状部９３の内側の穴９４およびリング状部１０４の内側の穴１０５によって、ペン差し穴５３が形成される。例えば、ペン差し穴５３の中心のｘ方向の位置は、携帯電話機２１の短手方向の側面を３分割する点より携帯電話機２１の側面の角により近い位置とされる。
【００６４】
また、図１０に示されるように、開口部５１−１および開口部５１−２の裏面は、その部分の厚さが薄くなるように削られている。これにより、キャビティ８２およびキャビティ８４の容積をより大きくすることができ、より音量の大きい音を開口部５１−１および開口部５１−２から放音することができる。
【００６５】
図９に示されるように、後側パーツ６２の後面側は、端部を除いて、携帯電話機２１の後面を露出させる形状にくり抜かれている。これにより、ケース１１に、携帯電話機２１を装着したままでも、デザインされている携帯電話機２１の後面が見える。また、ケース１１をより軽量にすることができる。
【００６６】
図７および図１１に示されるように、携帯電話機２１の前面と前側パーツ６１の内面との間には、シール材６３が配置される。携帯電話機２１の側面の右下の角、右上の角、左上の角、および左下の角と前側パーツ６１の内面および後側パーツ６２の内面との間には、それぞれ、スペーサ１２１、スペーサ１２２、スペーサ１２３、およびスペーサ１２４のそれぞれが挟まれる。
【００６７】
シール材６３は、携帯電話機２１の前面と前側パーツ６１の内面とに密着して、気密性を持たせる。また、シール材６３は、前側パーツ６１の後面との接触による、携帯電話機２１の前面の傷付を防止する。シール材６３は、ポリプロピレン、ポリウレタン、ナイロン、または硬質ゴムなどの樹脂など、弾性を有する素材から形成されている。
【００６８】
シール材６３は、携帯電話機２１の前面の外周端およびその近傍を切れ目なく１周する形状とされている。シール材６３の上側の左半分、左側、下側の左半分、および右側は、それぞれ、携帯電話機２１の前面の上側の左半分の端部、左側の端部、下側の左半分の端部、および右側の端部（右上の角の部分および右下の角の部分を除く。）に沿った形状に形成されている。
【００６９】
シール材６３の上側の右半分には、開口部５１−１の裏の下側および左側を通る形状の開口シール部１３１−１が形成されている。すなわち、開口シール部１３１−１は、携帯電話機２１の側面の右上の角と携帯電話機２１の前面の上側の右半分の端部から離れて、表示部２２の表示面の上側の右半分の端部を横に沿い、表示部２２の表示面の上側のほぼ中央から携帯電話機２１の前面の上側の端部に向かうように縦に延びて形成されている。開口シール部１３１−１によって、携帯電話機２１の前面であって、開口部５１−１の裏に当たる部分には、シール材６３の厚さと同じ厚さの空間であるスペース１３２−１が形成される。
【００７０】
シール材６３の下側の右半分には、開口部５１−２の裏の上側および左側を通る形状の開口シール部１３１−２が形成されている。すなわち、開口シール部１３１−２は、携帯電話機２１の側面の右下の角と携帯電話機２１の前面の下側の右半分の端部から離れて、表示部２２の表示面の下側の右半分の端部を横に沿い、表示部２２の表示面の下側のほぼ中央から携帯電話機２１の前面の下側の端部に向かうように縦に延びて形成されている。開口シール部１３１−２によって、携帯電話機２１の前面であって、開口部５１−２の裏に当たる部分には、シール材６３の厚さと同じ厚さの空間であるスペース１３２−２が形成される。
【００７１】
このように、ケース１１に携帯電話機２１が装着された場合、開口部５１−１および５１−２の内側の空間は、シール材６３により気密性をもって、携帯電話機２１の筐体によって閉じられる。このようにすることで、ケース１１をより薄く形成できるようになり、携帯電話機２１の持ちやすさを阻害しない。
【００７２】
スペース１３２−１およびスペース１３２−２によって、キャビティ８４およびキャビティ８２の容積をより大きくすることができ、より音量の大きい音を開口部５１−１および開口部５１−２から放音することができる。
【００７３】
スペーサ１２１、スペーサ１２２、スペーサ１２３、およびスペーサ１２４は、それぞれ、携帯電話機２１の側面の角と前側パーツ６１および後側パーツ６２の内側面の角とに密着して、気密性を持たせる。また、スペーサ１２１、スペーサ１２２、スペーサ１２３、およびスペーサ１２４は、前側パーツ６１および後側パーツ６２の内側面との接触による、携帯電話機２１の側面の傷付を防止する。スペーサ１２１、スペーサ１２２、スペーサ１２３、およびスペーサ１２４は、ポリプロピレン、ポリウレタン、ナイロン、または硬質ゴムなどの樹脂など、弾性を有する素材から形成されている。
【００７４】
なお、ケース１１は、携帯電話機２１に装着すると説明したが、１枚の平板状の形状とされ、１つの面に表示装置を設けた携帯型の通信端末装置であれば良く、例えば、携帯型ゲーム機、タブレット型端末装置、または携帯型音楽プレーヤなどの通信端末装置に装着することもできる。
【００７５】
また、携帯電話機２１の底側面に、放音孔７１が設けられていると説明したが、放音孔７１が携帯電話機２１の後面（背面）に設けられている場合にも、携帯電話機２１にケース１１を装着して使用することができる。この場合、ケース１１は、携帯電話機２１の後面（背面）のうち、放音孔７１が設けられている部分を囲い、放音孔７１が設けられている部分まで音道８１が伸びるように形成される。
【００７６】
なお、ペン差し穴５３が表示部２２の表示面と交差する方向に貫通していると説明したが、棒状の筆記用具３１を挿入して係止できればよく、後面（背面）側から前面側に窪んでいるものであっても良い。すなわち、ペン差し穴５３は、前面側に開口しないで、後面（背面）が前面側に落ち込んで、後面（背面）の他の部分より薄くなっているものであってもよい。また、例えば、ペン差し穴５３の前面側をゴム膜などの伸縮可能な膜で覆って、挿入した筆記用具３１の先端をその伸縮可能な膜で包むようにしてもよい。
【００７７】
さらに、ペン差し穴５３が形成されている支持部５２を折り畳み可能に構成することもできる。例えば、携帯電話機２１の側面の角の近傍に、ｙ方向に回動可能な回動軸、すなわち、携帯電話機２１の表示部２２の表示面と平行の方向に回動可能に軸支する回動軸を設けて、支持部５２を携帯電話機２１の側面から突出させるか、支持部５２を携帯電話機２１の後面（背面）側に格納することができるように、支持部５２を折り畳み可能に構成することもできる。この場合、携帯電話機２１の側面のうち、長手方向の側面から突出する位置、または短手方向の側面から突出する位置のいずれかを選択して支持部５２を突出させることができるようにしてもよい。また、例えば、支持部５２をｚ方向またはｘ方向にスライド（直動）可能にすることで、支持部５２を格納可能に構成することもできる。
【００７８】
また、ペン差し穴５３に一端が棒状の筆記用具３１を挿入すると説明したが、筆記用具３１に限らず、日用品などである、箸、割り箸、ドラムスティックなどの一端が棒状の物品を挿入することができる。さらに、鋏の刃の先端や、眼鏡のつる、スプーンやフォーク、はたき、歯ブラシや剃刀の柄など一端が棒状の日用品である物品の棒状の端部をペン差し穴５３に挿入することができる。
【００７９】
また、ペン差し穴５３は、円形断面の丸穴に限らず、長円、楕円、三角若しくは四角など多角形、星形、ハート形、または何らかのキャラクタをなぞった形状の断面の穴とすることができる。さらに、ペン差し穴５３は、１つの穴に限らず、２以上（複数）の穴からなるようにしてもよい。なお、ペン差し穴５３は、周の一部が開いている（切れている）形状とすることもできる。
【００８０】
なお、ケース１１は、前側パーツ６１および後側パーツ６２からなると説明したが、ケース１１を一体に形成するようにしても良い。例えば、可撓性を有する材料でケース１１を形成して、携帯電話機２１の後面（背面）から嵌め込めるようにしてもよい。
【００８１】
以上のように、四角形の表示部２２を前面に備える携帯電話機２１であって、内蔵されているスピーカからの音を放音する放音孔７１を側面または背面に備える携帯用の携帯電話機２１に装着し、携帯電話機２１の側面の縁部および放音孔７１を囲うケース１１に、携帯電話機２１の前面側に設けられている音を放音するための開口部５１−１および５１−２と、携帯電話機２１の放音孔７１からの音を開口部５１−１および５１−２まで導く空洞である音道８１および音道８３と、四角形の表示部２２の頂点の近傍に設けられている、表示部２２の表示面と交差する方向に貫通するか、または背面側から前面側に窪み、一端が棒状の物品である筆記用具３１を挿入して係止可能なペン差し穴５３とが形成されている。
【００８２】
ペン差し穴５３が、携帯電話機２１の四角形の表示部２２の頂点の近傍に設けられているので、ユーザは、携帯電話機２１だけの場合と同様に携帯電話機２１の側面を把持することができ、装着したままでも携帯性を阻害することがない。また、表示部２２と交差する方向に貫通するか窪むペン差し穴５３に筆記用具３１を挿入して係止した状態で、携帯用の携帯電話機２１を机やテーブル３２などの水平面に置くと、より簡単に、表示部２２の表示面がユーザを向いた状態を維持することができる。この際、ユーザは、携帯電話機２１を支える必要がない。また、このとき、携帯電話機２１の四角形の表示部２２の頂点の近傍にペン差し穴５３が設けられているので、筆記用具３１が表示部２２への視線を遮ることがない。音道８１および音道８３によって、携帯電話機２１の放音孔７１からの音が開口部５１−１および５１−２まで導かれ、表示部２２と共にユーザを向いた位置の開口部５１−１および５１−２から音が放音されるので、音量のより大きい音声をユーザに伝達することができる。このように、装着したままでも携帯性を阻害することなく、より簡単に、ユーザが支えることなく、表示部２２がユーザを向いた状態で携帯用の携帯電話機２１を水平面に置いて、音量のより大きい音声をユーザに向けて放音することができる。
【００８３】
このように、電源を必要とするスピーカシステム等を追加することなく、音量や音質を飛躍的に向上させることができ、これにより視聴覚効果を飛躍的に向上させることができる。
【００８４】
例えば、ケース１１を装着した携帯電話機２１を自転車やオートバイに取り付けてナビゲーションシステムとして動作させた場合には、走行中に、より大きい音量で案内のための音声をユーザに伝達することができるので、より正確な案内をより安全に提供することができるようになる。
【００８５】
携帯電話機２１をテーブル３２の上面（水平面）に置く場合、ユーザは、携帯電話機２１を支える必要がないので、映画や動画を表示させるとき、またはハンズフリーでの会話をするとき、手軽に聴覚的臨場感を味わうことができる。
【００８６】
また、開口部５１−１および５１−２は、表示部２２が配置される側に開口しているので、画像を視聴しているユーザに向かって音が放音される。従って、ユーザから離れた位置に到達する音の音量を抑えることができ、例えば、電車内などで使用しても、周りの人への迷惑をかけることがない。開口部５１−１および５１−２が、表示部２２が配置される側に開口しているので、ケース１１のデザインが特徴的になり、ファッショナブルになる。
【００８７】
音量のより大きい音声をユーザに伝達することができるので、携帯電話機２１の音量調整で携帯電話機２１から放音される音量をより小さくすることができ、電力の消費を抑制することができる。従って、携帯電話機２１をより長時間使用することが可能になる。
【００８８】
身の回りに置いてあることの多い鉛筆、ボールペン、万年筆などの棒状の筆記用具３１を用いて、テーブル３２の上面（水平面）に表示部２２の表示面がユーザを向いた状態で携帯電話機２１を立てることができるので、別途スタンドなどを常時持ち歩く必要がない。また、スタンドを内蔵する場合に比較して、ケース１１をより軽量に、より薄く形成することができる。テーブル３２の上面（水平面）と筆記用具３１との位置を変えることで、表示部２２の表示面を横長にしたり、縦長にしたりするなど、携帯電話機２１の姿勢を簡単に変えることができ、ユーザは所望の姿勢の携帯電話機２１を使用することができる。
【００８９】
また、テーブル３２の上面（水平面）に表示部２２の表示面がユーザを向いた状態で携帯電話機２１を立てると、開口部５１−１および５１−２からユーザに向かって音が放音され、開口部５１−１および５１−２から音が放音される方向とテーブル３２の上面（水平面）の方向とが平行に近い角度になるので、開口部５１−１および５１−２から放音される音がテーブル３２の上面（水平面）で反射しやすくなるので、音量のより大きい音声をユーザに伝達することができる。
【００９０】
紐、チェーン、またはカラビナなどをペン差し穴５３に通して、携帯電話機２１を携帯することもできる。この場合、ペン差し穴５３に紐を通したままで、筆記用具３１の一端を挿入して使用するようにしてもよい。
【００９１】
また、ペン差し穴５３の内周面をテーパー状に形成することができる。ペン差し穴５３の内周面をテーパー状にすることで、ペン差し穴５３に挿入された筆記用具３１と携帯電話機２１の角度を鈍角とし、携帯電話機２１の表示部２２とテーブル３２の上面（水平面）とが鋭角となるように携帯電話機２１をテーブル３２の上面に置くことができる。これにより、上からのユーザの視点と携帯電話機２１の表示部２２とを結ぶ線が、直角により近い角度で携帯電話機２１の表示部２２の表示面に交わるので、ユーザが携帯電話機２１の表示部２２をより見やすくなる。
【００９２】
さらに、ペン差し穴５３の内周面を筆記用具３１の棒状の端部の滑りを止める形状に形成することができる。このようにすることで、より安定して携帯電話機２１をテーブル３２の上面（水平面）に置くことができる。
【００９３】
さらにまた、ペン差し穴５３を、携帯電話機２１の表示部２２の短手方向の側面側に設けることができる。携帯電話機２１の幅の狭い側の側面を片手で把持する場合、ペン差し穴５３が邪魔にならない。また、ペン差し穴５３に棒状の筆記用具３１を挿入して係止した状態で、表示部２２の表示面が横長となるように携帯電話機２１をテーブル３２の上面（水平面）に置いた場合、表示部２２の表示面の横に筆記用具が位置することになるので、上側から下側に向かうユーザの視線を筆記用具３１が遮ることがない。
【００９４】
音道８３を、表示部２２の長手方向の側面側に設けることができる。音道８３をより長くすることができるので、共鳴によってより低い周波数帯域の音声成分をより大きくすることができる。音道８３を下側にして、表示部２２が横長となるように携帯電話機２１をテーブル３２の上面（水平面）に置いた場合、音道８３の響きをテーブル３２の上面（水平面）に伝達できるようになり、音量のより大きい音声をユーザに伝達することができる。
【００９５】
音道８３に、音響ホーン状の部分であるテーパー部１０３を形成することができる。このようにすることで、より効率良く、携帯電話機２１の放音孔７１から開口部５１−１に音を導くことができる。
【００９６】
音道８１および音道８３を、内側に開かれた空洞状に形成し、携帯電話機２１が装着された場合、携帯電話機２１の筐体によって閉じられるようにすることができる。この場合、ケース１１をより幅狭く、より低く、またはより薄く形成できるようになり、携帯用の携帯電話機２１の持ちやすさを阻害しない。
【００９７】
開口部５１−１および５１−２を、ペン差し穴５３の近傍の頂点とは異なる、表示部２２の頂点の近傍に設けることができる。このようにすることで、ケース１１の構造物が偏ってしまうことを防止でき、ケース１１の重心を携帯電話機２１の重心により近づけることができ、携帯用の携帯電話機２１の持ちやすさを阻害しない。
【００９８】
開口部５１−１および５１−２を、携帯電話機２１の表示部２２を長手方向に挟む位置に２つ設けることができる。表示部２２が横長となるように携帯電話機２１をテーブル３２の上面（水平面）に置いた場合、開口部５１−１および５１−２が表示部２２の左右に配置されることになり、表示部２２に表示される映像と一体となった音声をユーザに伝達することができる。
【００９９】
携帯電話機２１が装着された場合、開口部５１−１および５１−２の内側の空間を、携帯電話機２１の筐体によって閉じられるようにすることができる。この場合、ケース１１をより薄く形成できるようになり、携帯用の携帯電話機２１の持ちやすさを阻害しない。
【０１００】
このように、帯電話機２１の前面側に設けられている音を放音するための開口部５１−１および５１−２と、携帯電話機２１の放音孔７１からの音を開口部５１−１および５１−２まで導く空洞である音道８１および音道８３と、四角形の表示部２２の頂点の近傍に設けられている、表示部２２の表示面と交差する方向に貫通し、一端が棒状の筆記用具３１を挿入して係止可能なペン差し穴５３とを形成するようにした場合には、装着したままでも携帯性を阻害することなく、より簡単に、ユーザが支えることなく、表示部２２がユーザを向いた状態で携帯用の携帯電話機２１をテーブル３２の上面（水平面）に置いて、音量のより大きい音声をユーザに向けて放音することができる。
【０１０１】
また、本発明の実施の形態は、上述した実施の形態に限定されるものではなく、本発明の要旨を逸脱しない範囲において種々の変更が可能である。
【符号の説明】
【０１０２】
１１  ケース，  ５１−１および５１−２  開口部，  ５２  支持部，  ５３  ペン差し穴，  ６１  前側パーツ，  ６２  後側パーツ，  ６３  シール材，  ８１  音道，  ８２  キャビティ，  ８３  音道，  ８４  キャビティ，  ９１  溝，  ９２  溝，  ９３  リング状部，  ９４  穴，  １０１  溝，  １０２  溝，  １０３  テーパー部，  １０４  リング状部，  １０５  穴，  １２１乃至１２４  スペーサ，  １３１−１および１３１−２  開口シール部，  １３２−１および１３２−２  スペース
【図１】
2016012821.tif 000003
【図２】
2016012821.tif 000004
【図３】
2016012821.tif 000005
【図４】
2016012821.tif 000006
【図５】
2016012821.tif 000007
【図６】
2016012821.tif 000008
【図７】
2016012821.tif 000009
【図８】
2016012821.tif 000010
【図９】
2016012821.tif 000011
【図１０】
2016012821.tif 000012
【図１１】
2016012821.tif 000013